(57)【特許請求の範囲】
【請求項１】
吸収性物品の肌対向面を形成する表面シートと、該表面シートの非肌対向面側に位置する吸収体とを備えた、長手方向、幅方向及び厚さ方向を有する吸収性物品であって、
前記吸収性物品は、平面視にて、前記長手方向において、
吸収性物品の着用時に着用者の前方側に位置する前方側領域と、
吸収性物品の着用時に着用者の後方側に位置する後方側領域と、
これら両領域の間に位置し且つ吸収性物品の着用時に着用者の排泄口に対応する排泄口対応領域と、を有しており、
前記吸収性物品は、前記吸収体の非肌対向面側に位置し且つ前記後方側領域において少なくとも前記長手方向に伸縮性を有する伸縮性シートを備えるとともに、少なくとも前記排泄口対応領域において、平面視にて、前記吸収性物品の長手方向に延びる幅方向中央軸線に対して前記幅方向の両側に位置する、前記長手方向に延在し且つ他の部分よりも高密度の底部を有する２本の線状凹部を備え、
前記表面シートは、少なくとも前記後方側領域において光線透過率が４５％以上であり、
前記吸収体は、平面視にて、前記伸縮性シートと厚さ方向に重なる前記後方側領域内において、前記幅方向に延びる複数のスリット部が存在する伸長領域としてのスリット部存在領域を有するとともに、前記排泄口対応領域内における前記２本の線状凹部に挟まれた領域であって、前記スリット部が全く存在しない低伸長領域としてのスリット部非存在領域を有し、
前記スリット部存在領域は、該スリット部存在領域を前記長手方向に３等分する、前記排泄口対応領域に対して最も近位側の第１存在領域と、前記排泄口対応領域に対して最も遠位側の第２存在領域と、これら両領域の間に位置する中央存在領域と、を有しており、
前記第１存在領域は、前記中央存在領域内のスリット部よりも前記長手方向に幅広である幅広スリット部を含む、
前記吸収性物品。
【請求項２】
前記吸収体は、前記スリット部存在領域よりも後方側の領域が、前記スリット部が全く存在しない低伸長領域としての後方側スリット部非存在領域であり、
前記第２存在領域は、前記中央存在領域内のスリット部よりも前記長手方向に幅広である幅広スリット部を含む、請求項１に記載の吸収性物品。
【請求項３】
前記後方側スリット部非存在領域は、エンボス部を含む、請求項２に記載の吸収性物品。
【請求項４】
前記伸縮性シートは、前記吸収体とは異なる色を有する着色シートである、請求項１〜３のいずれか一項に記載の吸収性物品。
【請求項５】
前記伸縮性シートが裏面シートである、請求項１〜４のいずれか一項に記載の吸収性物品。
【請求項６】
前記吸収性物品は、平面視にて、前記幅方向に延びる少なくとも１本の折線を有しており、当該折線は、前記第１存在領域における前記幅広スリット部と厚さ方向に重なっている、請求項１〜５のいずれか一項に記載の吸収性物品。
【請求項７】
前記折線は、前記吸収性物品の肌対向面側が凸となる山折りの折線である、請求項６に記載の吸収性物品。
【発明の詳細な説明】
【技術分野】
【０００１】
本発明は、生理用ナプキン、パンティライナー、失禁パッド等の吸収性物品に関する。
【背景技術】
【０００２】
生理用ナプキン、パンティライナー、失禁パッド等の吸収性物品は、着用者の股間部に接触しながら着用されるものであるため、着用者に違和感や不快感、液漏れなどを生じさせないように、着用者の身体形状に追従して変形し易い（すなわち、フィット性に優れた）吸収性物品が検討されている。
【０００３】
そのような吸収性物品として、例えば、特許文献１には、表面シート及び裏面シートの間に介在された縦長の吸収体を具備する吸収性物品であって、前記吸収体は、少なくとも上層及び下層の２層を備え、前記上層及び前記下層のそれぞれは、前記吸収体の長手方向の両側部に位置する部分に複数本の切れ込みを有していて、前記上層の切れ込みと前記下層の切れ込みとが前記長手方向において重ならない位置に形成された、前記吸収性物品が開示されている。この特許文献１に開示された吸収性物品によれば、上述の吸収体における切れ込みが開閉することによって得られる伸縮性により、装着者の股下部に則した湾曲形状を呈し、フィットしつつ装着感の良い３次元形状を形成することができ、液漏れを抑えることができるとされている。
【先行技術文献】
【特許文献】
【０００４】
【特許文献１】特許第５４１１３４４号公報
【発明の概要】
【発明が解決しようとする課題】
【０００５】
この特許文献１に開示された吸収性物品は、伸縮性を発現する切れ込みが、表面シートと裏面シートとによって囲繞された吸収体に形成されているため、吸収性物品の着用者が、着用前に、当該吸収性物品が伸縮性に優れた製品であることを認識し難く、時には、着用者が、吸収性物品の着用前に当該吸収性物品を長手方向に伸長させて、その伸縮性を確認する場合があった。しかしながら、上述の吸収体に形成された切れ込みは、伸長により一度開くと、完全には元の閉じた状態に戻らないため、このような吸収性物品を着用前に伸長させてしまうと、着用時において所期の伸縮性が発揮されず、良好な着用感が得られ難くなったり、開いたままの状態の切れ込みによって吸収性能が低下したりする虞があった。
【０００６】
そこで、本発明は、吸収性物品の着用前において、吸収性物品を伸長させなくても、伸縮性に特に優れた（すなわち、着用感に優れた）高品質の吸収性物品であるとの期待感を着用者に醸成させることができる上、吸収性物品の着用時において、優れた着用感及び高い吸収性能を発揮することができる吸収性物品を提供することを目的とする。
【課題を解決するための手段】
【０００７】
本発明の一態様（態様１）に係る吸収性物品は、吸収性物品の肌対向面を形成する表面シートと、該表面シートの非肌対向面側に位置する吸収体とを備えた、長手方向、幅方向及び厚さ方向を有する吸収性物品であって、前記吸収性物品は、平面視にて、前記長手方向において、吸収性物品の着用時に着用者の前方側に位置する前方側領域と、吸収性物品の着用時に着用者の後方側に位置する後方側領域と、これら両領域の間に位置し且つ吸収性物品の着用時に着用者の排泄口に対応する排泄口対応領域と、を有しており、前記吸収性物品は、前記吸収体の非肌対向面側に位置し且つ前記後方側領域において少なくとも前記長手方向に伸縮性を有する伸縮性シートを備え、前記表面シートは、少なくとも前記後方側領域において光線透過率が４５％以上であり、前記吸収体は、平面視にて、前記伸縮性シートと厚さ方向に重なる前記後方側領域内において、前記幅方向に延びる複数のスリット部が存在するスリット部存在領域を有するとともに、前記排泄口対応領域内において、前記スリット部が存在しないスリット部非存在領域を有し、前記スリット部存在領域は、該スリット部存在領域を前記長手方向に３等分する、前記排泄口対応領域に対して最も近位側の第１存在領域と、前記排泄口対応領域に対して最も遠位側の第２存在領域と、これら両領域の間に位置する中央存在領域と、を有しており、前記第１存在領域は、前記中央存在領域内のスリット部よりも前記長手方向に幅広である幅広スリット部を含むものである。
【０００８】
本態様１の吸収性物品は、表面シートの少なくとも前記後方側領域において光線透過率が４５％以上であり、且つ吸収体の前記スリット部存在領域における第１存在領域（すなわち、吸収性物品の着用者が着用前に注目する傾向のある排泄口対応領域に近接する領域）が幅広スリット部を含んでいるため、着用者が、吸収性物品の着用前に、上記排泄口対応領域に近接する第１存在領域内の幅広スリット部を（より具体的には、幅広スリット部の開口部又は該開口部を通して吸収体の非肌対向面側に配置される伸縮性シートを）、その周辺部との色差（明度や色彩等の差異）により、表面シートを通して認識し易くなっている。これにより、本態様の吸収性物品は、伸長させなくても、本態様の吸収性物品が複数のスリット部を有することによって伸縮性に特に優れた（すなわち、着用感に優れた）高品質の吸収性物品であるとの期待感を、着用前の着用者に醸成させることができる。
また、本態様の吸収性物品は、着用時に着用者の臀部に対応する領域となる後方側領域において、少なくとも長手方向に伸縮性を有する伸縮性シートと、前記吸収体におけるスリット部存在領域とを備えている（すなわち、吸収性物品の後方側領域が長手方向に沿って湾曲変形し易く且つ前記長手方向を軸として捩じれる方向に変形し易く構成されている）ため、着用者が歩行等の動作を行った際に、着用者の臀部が左右交互に動くことによって前記後方側領域において吸収性物品が捩じれる方向に力が加わったとしても、上記スリット部存在領域及び伸縮性シートが着用者の動きに合わせて上述の捩じれる方向に変形することにより、前記後方側領域が着用者の肌面に密着した状態を維持することができる（すなわち、優れた着用感を得ることができる）とともに、上述の捩じれる方向の力が前記後方側領域の変形によって緩衝されて、前記排泄口対応領域に伝達され難く、当該排泄口対応領域（特に、スリット部が存在しないスリット部非存在領域）においては、前記吸収体の形状を維持し易く、着用者から排出された液状排泄物を長時間に亘って安定的に吸収することができる。
さらに、本態様に係る吸収性物品は、前記後方側領域において上述の伸縮性シートを備えているため、当該後方側領域における伸縮性を確保して上述のスリット部存在領域によって奏される作用効果をより確実に発揮させることができる。加えて、着用者が吸収性物品の着用前に当該吸収性物品を長手方向に伸長させて、その伸縮性を確認したとしても、伸縮性シートによって、上述のスリット部が開いた状態から元の閉じた状態へと戻り易いため、吸収性物品の着用時における優れた着用感及び高い吸収性能をより確実に得ることができる。
以上の結果、本態様の吸収性物品は、着用前に、上述の幅広スリット部が視認されることによって、当該吸収性物品が複数のスリット部を備え、伸縮性に特に優れた（すなわち、着用感に優れた）高品質の吸収性物品であるとの期待感を着用者に醸成させることができる上、期待感だけでなく実際の着用時においても、優れた着用感及び高い吸収性能を発揮することができる。
【０００９】
また、本発明の別の態様（態様２）では、前記態様１の吸収性物品において、前記吸収体は、前記スリット部存在領域よりも後方側の領域に、スリット部が存在しない後方側スリット部非存在領域を有し、前記第２存在領域は、前記中央存在領域内のスリット部よりも前記長手方向に幅広である幅広スリット部を含んでいる。
【００１０】
本態様２の吸収性物品は、吸収体が前記スリット部存在領域における第１存在領域及び第２存在領域のそれぞれの領域内に幅広スリット部を含む（すなわち、少なくとも前記中央存在領域を挟むように幅広スリット部を含む）ため、着用者が、前記第１存在領域内の幅広スリット部から前記第２存在領域内の幅広スリット部までの間の領域を、上述の複数のスリット部が存在する領域（すなわち、伸縮領域）として認識し易く、吸収性物品の品質（特に、着用感）に対するより高い期待感を、着用者に醸成させることができる。
また、本態様の吸収性物品は、吸収体における前記スリット部存在領域よりも後方側の領域に、スリット部が存在しない後方側スリット部非存在領域を有しているので、吸収性物品の後方側領域において吸収体の強度を一定程度確保することができる。これにより、着用者の動作等によって力の掛かり易い前記後方側領域において、吸収体に型崩れや破断等が生じ難くなり、吸収体を伸長性や柔軟性に優れたものとしつつも、吸収体としての機能（吸収性能）をより良好に且つ安定的に発揮することができる。
【００１１】
更に本発明の別の態様（態様３）では、前記態様２の吸収性物品において、前記後方側スリット部非存在領域は、前記吸収体の後方側における端縁を含む領域である。
【００１２】
本態様３の吸収性物品は、相対的に強度の高い後方側スリット部非存在領域が、吸収体の後方側における端縁を含む領域であるため、着用者が、吸収性物品の着用中に、前記後方側スリット部非存在領域を把持して、下着等の着衣に固定された状態の吸収性物品の位置を調整し易くなっている。これにより、着用者は、随時、吸収性物品の位置をより適切な位置に調整することができるため、より一層優れた着用感や安心感を得ることができる。
【００１３】
更に本発明の別の態様（態様４）では、前記態様２又は３の吸収性物品において、前記後方側スリット部非存在領域は、エンボス部を含んでいる。
【００１４】
この態様４の吸収性物品は、前記後方側スリット部非存在領域に着用者が注目し易いエンボス部を含むため、着用者が、吸収性物品の着用前に、上述のエンボス部を含む後方側スリット部非存在領域に近接する前記第２存在領域内の幅広スリット部を、表面シートを通してより認識し易く、上述の態様２の吸収性物品が奏する作用効果を、より効果的に発揮することができる。さらに、本態様の吸収性物品は、エンボス部を含むことによって後方側スリット部非存在領域の剛性が高くなっているため、着用者が当該後方側スリット部非存在領域を把持して、下着等の着衣に固定された状態の吸収性物品の位置を更に調整し易く、上述の態様３の吸収性物品が奏する作用効果を、より効果的に発揮することができる。
【００１５】
更に本発明の別の態様（態様５）では、前記態様１〜４のいずれかの吸収性物品において、前記伸縮性シートは、前記吸収体とは異なる色を有する着色シートによって構成されている。
【００１６】
この態様５の吸収性物品は、前記吸収体の非肌対向面側に配置される伸縮性シートが、吸収体とは異なる色に着色された着色シートによって構成されているため、上述の幅広スリット部が、前記幅広スリット部の開口部を通して視認される着色シート（伸縮性シート）と吸収体との色の違いによって更に認識され易く、吸収性物品の品質（特に、着用感）に対する期待感を、より確実に着用者に醸成させることができる。
【００１７】
更に本発明の別の態様（態様６）では、前記態様１〜５のいずれかの吸収性物品において、前記伸縮性シートが裏面シートである。
【００１８】
この態様６の吸収性物品は、上述の伸縮性シートが着用者に視認され易い裏面シートであるため、吸収性物品の伸縮性が当該裏面シートからも認識され易く、かかる吸収性物品が伸縮性に特に優れた高品質の吸収性物品であるとの期待感を、より確実に且つより効果的に着用者に醸成させることができる。
さらに、上述の伸縮性シートが裏面シートであると、吸収体と裏面シートとの間に、別途伸縮性シートを配置する必要がないため、製品設計の自由度が向上する。これにより、吸収性物品を薄型化することができるので、着用感を更に向上させることが可能である。
【００１９】
更に本発明の別の態様（態様７）では、前記態様１〜６のいずれかの吸収性物品において、当該吸収性物品は、平面視にて、前記幅方向に延びる少なくとも１本の折線を有しており、当該折線は、前記第１存在領域における前記幅広スリット部と厚さ方向に重なっている。
【００２０】
本態様７の吸収性物品は、上記折線で長手方向に折り畳んで個包装したときに、上述の幅広スリット部が、折畳みによって長手方向に張力が掛かった状態となり、当該幅広スリット部の幅広状態をより確実に保持することができる。これにより、本態様の吸収性物品は、当該吸収性物品を個包装体（個包装された状態）から展開しても、上述の幅広スリット部の幅広状態が維持されているため、上述の幅広スリット部によって奏される作用効果をより確実に発揮することができる。
【００２１】
更に本発明の別の態様（態様８）では、前記態様７の吸収性物品において、上記折線は、吸収性物品の肌対向面側が凸となる山折りの折線である。
【００２２】
本態様８の吸収性物品は、上記折線で吸収性物品を山折りしたときに、上記幅広スリット部の肌対向面側における開口部が、上述の山折りによって長手方向に張力が掛かった状態となるため、上記幅広スリット部において着用者に視認され易い肌対向面側の開口部の状態（幅広状態）をより確実に保持することができる。これにより、上述の幅広スリット部によって奏される作用効果をより確実に且つ効果的に発揮することができる。
【発明の効果】
【００２３】
本発明の吸収性物品によれば、着用前に吸収性物品を伸長させなくても、伸縮性に特に優れた（すなわち、着用感に優れた）高品質の吸収性物品であるとの期待感を着用者に醸成させることができる。さらに、着用時においては、優れた着用感及び高い吸収性能を発揮することができる。
【図面の簡単な説明】
【００２４】
【図１】図１は、本発明の一実施形態に係る生理用ナプキン１を展開した状態で表面シート側から厚さ方向に見た平面図である。
【図２】図２は、本発明の一実施形態に係る生理用ナプキン１を展開した状態で裏面シート側から厚さ方向に見た平面図である。
【図３】図３は、本発明の一実施形態に係る生理用ナプキン１における図１のＩＩＩ−ＩＩＩ線に沿った長手方向断面の端面図である。
【図４】図４は、本発明の一実施形態に係る生理用ナプキン１が、長手方向を軸として捩じれる方向に捩じれた状態を模式的に示す斜視図である。
【図５】図５は、本発明の一実施形態に係る生理用ナプキン１に用いられる吸収体２２の伸長していない状態（自然状態）の平面図である。
【図６】図６は、本発明の一実施形態に係る生理用ナプキン１に用いられる吸収体２２の伸長状態の平面図である。
【発明を実施するための形態】
【００２５】
以下、本発明の吸収性物品の好適な実施形態について、図面を参照しながら詳細に説明する。なお、本明細書においては、特に断りのない限り、「展開した状態で水平面上に置いた対象物（例えば、吸収性物品、吸収本体部、吸収体等）を、垂直方向の上方側から対象物の厚さ方向に見ること」を「平面視」という。特に、対象物が吸収性物品の場合、吸収性物品を展開した状態で表面シート側から厚さ方向に見ることを、単に「平面視」ということがある。
【００２６】
本明細書において用いる各種方向等については、特に断りのない限り、以下のとおりである。
本明細書において、「長手方向」は、「平面視における縦長の対象物の長さの長い方向」を指し、「幅方向」は、「平面視における縦長の対象物の長さの短い方向（短手方向）」を指し、「厚さ方向」は、「展開した状態で水平面上に置いた対象物に対して垂直方向」を指し、これらの長手方向、幅方向及び厚さ方向は、それぞれ互いに直交する関係にある。
また、本明細書では、「吸収性物品の長手方向において、着用者が吸収性物品を着用した際に着用者の腹部に対して相対的に近位側となる一方側」を、「吸収性物品の前方側」といい、「吸収性物品の長手方向において、着用者が吸収性物品を着用した際に着用者の腹部に対して相対的に遠位側（すなわち、着用者の背部に対して相対的に近位側）となる他方側」を、「吸収性物品の後方側」という。
さらに、本明細書では、「縦長の対象物（例えば、吸収性物品、吸収本体部、吸収体等）の幅方向において、長手方向に延びる幅方向中央軸線ＣＬに対して相対的に近位側」を「幅方向における内方側」といい、「前記縦長の対象物の幅方向において、前記幅方向中央軸線ＣＬに対して相対的に遠位側」を「幅方向における外方側」という。
そして、本明細書では、特に断りのない限り、吸収性物品の厚さ方向において、「吸収性物品の着用時に、着用者の肌面に対して相対的に近位側」を「肌対向面側」といい、「吸収性物品の着用時に、着用者の肌面に対して相対的に遠位側」を「非肌対向面側」という。
【００２７】
図１は、本発明の一実施形態に係る生理用ナプキン１を展開した状態で表面シート側から厚さ方向Ｔに見た平面図であり、図２は、前記生理用ナプキン１を展開した状態で裏面シート側から厚さ方向Ｔに見た平面図である。なお、図１及び図２において、図面の上方側が、吸収性物品の前方側に相当し、図面の下方側が、吸収性物品の後方側に相当する。
また、図３は、前記生理用ナプキン１における、図１のＩＩＩ−ＩＩＩ線に沿った長手方向断面の端面図である。
【００２８】
図１及び図２に示すように、本実施形態に係る生理用ナプキン１は、平面視にて、長手方向及び幅方向を有する縦長の吸収本体部２と、該吸収本体部２の長手方向における中央部分の前方側寄りの位置において幅方向の外方側へ延出する一対の略台形状のフラップ部３、３’と、を備えている。
【００２９】
本実施形態において、吸収本体部２は、図３に示すように、厚さ方向Ｔにおいて、肌対向面側に位置し且つ光線透過率が４５％以上である液透過性の表面シート２１と、非肌対向面側に位置する液不透過性の裏面シート２３と、これら各シートの間に位置するとともに幅方向Ｗに延びる複数のスリット部Ｓ及び幅広スリット部ＳＥを有する吸収体２２と、後述する後方側領域Ａ３において吸収体２２と裏面シート２３との間に位置し（すなわち、吸収体２２の非肌対向面側に位置し）且つ少なくとも前記長手方向に伸縮性を有する伸縮性シート２４と、前記裏面シート２３の非肌対向面側の表面において幅方向に連続的又は断続的に延びる粘着剤９が前記長手方向Ｌに沿って複数本並ぶように（いわゆる、ストライプ状に）配置された着衣固定用粘着部と、を備え、着用者から排出された経血等の液状排泄物を吸収及び保持することができるように構成されている。
一方、一対のフラップ部３、３’は、図１及び図２に示すように、厚さ方向Ｔにおいて、吸収本体部２から幅方向Ｗの外方側に延出された表面シート２１と、吸収本体部２から幅方向Ｗの外方側に延出された裏面シート２３と、該裏面シート２３の非肌対向面側の表面に配置された、長手方向Ｌに延びる着衣固定用の粘着部４、４’と、を備えている。
【００３０】
なお、生理用ナプキン１は、着用する際に、吸収本体部２を該吸収本体部２の非肌対向面側の表面に配置された粘着剤９によって着用者の着衣（下着等）の肌対向面側の表面に固定した後、一対のフラップ部３、３’をそれぞれ前記着衣の非肌対向面側に折り返して、各フラップ部３、３’の非肌対向面側の表面に配置された粘着部４、４’によって前記着衣の非肌対向面側の表面に固定して使用するものである。したがって、前記一対のフラップ部３、３’の非肌対向面側の表面は、生理用ナプキン１の着用時には、着用者の肌面に対向する面となる。
生理用ナプキン１を着用者の着衣に固定するための、吸収本体部２における粘着剤９及び各フラップ部３、３’における粘着部４、４’に用いられる粘着剤は、それぞれ吸収性物品を着用者の着衣（下着等）に固定し得るものであれば特に制限されず、例えば、スチレン系ポリマー等の任意の粘着剤を用いることができる。なお、上述の一対のフラップ部は、本発明の吸収性物品においては必須の構成要素ではないため、本発明の吸収性物品は、当該一対のフラップ部を有していなくてもよい。
【００３１】
本実施形態において、吸収本体部２は、図１に示すように、平面視にて、生理用ナプキン１の着用時に着用者の前方側（腹部側）に位置する長手方向Ｌの前方側端縁部５と、生理用ナプキン１の着用時に着用者の後方側（背部側）に位置する長手方向Ｌの後方側端縁部６と、を備え、さらに、これらの端縁部５、６の間には、前記長手方向Ｌに沿って、生理用ナプキン１の前方側に位置する前方側領域Ａ１と、生理用ナプキン１の後方側に位置する後方側領域Ａ３と、これらの領域Ａ１、Ａ３の間に位置する排泄口対応領域Ａ２と、を有している。なお、図１において、これらの領域Ａ１〜Ａ３は、幅方向Ｗに延びる第１仮想直線Ｌ１及び第２仮想直線Ｌ２によってそれぞれ区分されている。また、吸収本体部２内の吸収体２２は、図１に示すように、前記前方側領域Ａ１から前記後方側領域Ａ３に亘って延在するように配置されている。
【００３２】
ここで、本明細書において、「排泄口対応領域」とは、吸収性物品の着用時に、着用者の排泄口に対向する或いは当接する領域を指し、吸収性物品の種類や用途（具体的には、尿や便、経血などの液状排泄物の種類、対象とする着用者の年齢や性別など）に応じて、吸収性物品の種類毎に適宜設定される領域である。
なお、排泄口対応領域は、通常、吸収性物品の長手方向の略中央部或いは前方側寄りの位置（例えば、吸収性物品が吸収本体部及びフラップ部を有する吸収性物品の場合は、平面視にて、前記吸収本体部における、前記フラップ部と長手方向において重複する前方側寄りの位置であり、吸収性物品が長手方向の略中央部において幅方向の内方側に括れた括れ部を有する吸収本体部からなる吸収性物品の場合は、平面視にて、吸収本体部における前記括れ部に対応する位置であり、また、吸収性物品が長円状の吸収本体部から構成される場合は、吸収本体部の幅方向に延びる長手方向中央軸線を跨ぐ略中央部の位置である。）において、吸収性物品の長手方向全長の約１／３以上の長手方向長さと、吸収性物品の幅方向全長の約１／３以上の幅方向長さを有するように設定されるが、例えば、吸収性物品が夜用ナプキン等の場合は、排泄口対応領域の長手方向長さが、吸収性物品の長手方向全長の１／３未満となるように設定されることもある。
【００３３】
そして、本実施形態に係る生理用ナプキン１は、図１及び図３に示すように、前記後方側領域Ａ３において吸収体２２と裏面シート２３との間に位置する伸縮性シート２４を備え、さらに、吸収体２２が、平面視にて、前記伸縮性シート２４と厚さ方向Ｔに重なる前記後方側領域Ａ３内において、幅方向Ｗに延びる複数のスリット部Ｓが存在するスリット部存在領域ＡＥを有するとともに、前記排泄口対応領域Ａ２内において、スリット部Ｓが存在しないスリット部非存在領域Ｎ２を有している。
さらに、前記スリット部存在領域ＡＥは、図１に示すように、該スリット部存在領域ＡＥを長手方向Ｌに３等分する３つの領域、すなわち、排泄口対応領域Ａ２に対して最も近位側に位置する第１存在領域ａ１と、排泄口対応領域Ａ２に対して最も遠位側に位置する第２存在領域ａ２と、これら両領域の間に位置する中央存在領域ａＣと、を有し、更に前記第１存在領域ａ１は、前記中央存在領域ａＣ内のスリット部Ｓよりも生理用ナプキン１の長手方向Ｌに幅広である（すなわち、スリット部の幅方向長さが長い）幅広スリット部ＳＥを含んでいる。
なお、図１において、前記スリット部存在領域ＡＥは、３等分用第１仮想直線ｌ１及び３等分用第２仮想直線ｌ２によって長手方向Ｌに３等分されており、これらの仮想直線によって分画される３つの領域（すなわち、第１存在領域ａ１、中央存在領域ａＣ及び第２存在領域ａ２）は、長手方向Ｌに延びる幅方向中央軸線ＣＬ上においてそれぞれ同一の長手方向長さを有している。
【００３４】
ここで、本明細書において、「スリット部」は、吸収体を厚さ方向に貫通する切り目を意味し、該スリット部が延びる方向（すなわち、スリット部の長手方向）と、該方向と直交する方向（すなわち、スリット部の幅方向）を有する。なお、本実施形態において、スリット部Ｓの長手方向及び幅方向は、それぞれ生理用ナプキン１の幅方向Ｗ及び長手方向Ｌに平行である。
【００３５】
また、本明細書において、「幅広スリット部」は、上記中央存在領域ａＣ内のスリット部に対して、幅方向に拡幅した（すなわち、スリット部の幅方向長さが長い）状態のスリット部を意味する。具体的には、上記中央存在領域ａＣ内の任意の１０個のスリット部の幅方向長さ（ｍｍ）を測定して得られる平均値（ｍｍ）を基準値とし、この基準値よりも大きい幅方向長さ（ｍｍ）を有するスリット部を幅広スリット部という。
【００３６】
そして、本実施形態に係る生理用ナプキン１は、表面シート２１の光線透過率が４５％以上であり、且つ、吸収体２２の前記スリット部存在領域ＡＥにおける第１存在領域ａ１（すなわち、生理用ナプキン１の着用者が着用前に注目し易い排泄口対応領域Ａ２に近接する領域）が幅広スリット部ＳＥを含んでいるため、着用者が、生理用ナプキン１の着用前に、上記排泄口対応領域Ａ２に近接する第１存在領域ａ１内の幅広スリット部ＳＥを（より具体的には、幅広スリット部ＳＥの開口部又は該開口部を通して吸収体２２の非肌対向面側に配置される伸縮性シート２４を）、その周辺部との色差（明度や色彩等の差異）により、表面シート２１を通して認識し易くなっている。これにより、本実施形態に係る生理用ナプキン１は、当該生理用ナプキン１が複数のスリット部Ｓを有することによって伸縮性に特に優れた高品質の生理用ナプキンであるとの期待感を、着用前の着用者に醸成させることができる。
【００３７】
ここで、図４は、本実施形態に係る生理用ナプキン１が、長手方向Ｌを軸として捩じれる方向に捩じれた状態を模式的に示す斜視図である。本実施形態に係る生理用ナプキン１は、着用時に着用者の臀部に対応する領域となる後方側領域Ａ３において、少なくとも長手方向Ｌに伸縮可能な伸縮性シート２４と、吸収体２２における上記スリット部存在領域ＡＥとを備えている（すなわち、後方側領域Ａ３が長手方向Ｌに沿って湾曲変形し易く且つ前記長手方向Ｌを軸として捩じれる方向にも変形し易く構成されている）ため、着用者が歩行等の動作を行った際に、着用者の臀部が左右交互に動くことによって、前記後方側領域Ａ３のスリット部存在領域ＡＥに生理用ナプキン１が捩じれる方向の力が加わったとしても、当該スリット部存在領域ＡＥが着用者の動きに合わせて上述の捩じれる方向に変形することにより（図４を参照）、前記後方側領域Ａ３が着用者の臀部の肌面に密着した状態を維持することができる（すなわち、優れた着用感を得ることができる）。同時に、上述の捩じれる方向の力が前記後方側領域Ａ３の変形によって緩衝されて、隣接する排泄口対応領域Ａ２へ伝達され難くなるため、当該排泄口対応領域Ａ２（特に、スリット部Ｓが存在しないスリット部非存在領域Ｎ２）においては、吸収体２２の形状を維持し易く、着用者から排出された液状排泄物を長時間に亘って安定的に吸収することができる。
【００３８】
さらに、生理用ナプキン１は、前記後方側領域Ａ３において少なくとも長手方向Ｌに伸縮性を有する伸縮性シート２４を備えているため、当該後方側領域Ａ３における伸縮性を確保することができ、上述の後方側領域Ａ３が着用者の臀部の肌面に密着した状態を維持することができるという効果をより確実に得ることができる。加えて、着用者が着用前に生理用ナプキン１を長手方向Ｌに伸長させて、その伸縮性を確認したとしても、伸縮性シート２４によって、上述のスリット部Ｓが伸長時の開いた状態から元の閉じた状態へと戻り易いため、所期の優れた着用感及び吸収性能をより確実に得ることができる。
【００３９】
このようにして、本実施形態に係る生理用ナプキン１は、着用前に、上述の幅広スリット部ＳＥが着用者に視認されることによって、当該生理用ナプキン１が複数のスリット部Ｓを備えた、伸縮性に特に優れた（すなわち、着用感に優れた）高品質の生理用ナプキンであるとの期待感を着用者に醸成させることができる。また、期待感だけでなく実際の着用時においても、優れた着用感及び高い吸収性能を発揮することができる。
【００４０】
以下、本発明の吸収性物品を構成する各種部材について、上述の実施形態に係る生理用ナプキン１を用いて更に詳細に説明する。
【００４１】
［表面シート］
本実施形態に係る生理用ナプキン１において、表面シート２１は、図１及び図３に示すように、生理用ナプキン１の前方側領域Ａ１から後方側領域Ａ３に亘る領域において、厚さ方向Ｔの肌対向面側に配置され、着用者の肌面に直に接触し得る液透過性シート部材によって構成されている。かかる液透過性シート部材は、後述する光線透過率の要件を満たすものであれば特に制限されず、例えば、セルロース繊維や親水化処理を施した熱可塑性樹脂繊維等を用いて形成された、スパンレース不織布やエアスルー不織布等の従来より公知の不織布などを用いることができるが、本発明の表面シートは、少なくとも一方向（吸収性物品の長手方向Ｌに対応する方向）に伸縮性又は伸長性を有する液透過性シート部材を用いることが好ましい。表面シートとして、このような伸縮性又は伸長性を有する液透過性シート部材を用いると、吸収性物品が着用者の動きに合わせてより一層変形し易くなる（すなわち、動的フィット性に優れる）ため、着用感を更に向上させることができる。
【００４２】
上述の伸縮性を有する液透過性シート部材としては、特に制限されず、例えば、親水化処理が施されたウレタン樹脂製スパンボンド不織布等の伸縮性不織布；少なくとも一方向に延伸されたウレタン樹脂製スパンボンド不織布とエアースルー不織布とがドット状エンボス加工によって一体化された、凹凸構造を有する積層不織布；ウレタン樹脂やエチレン−酢酸ビニル共重合体樹脂（ＥＶＡ）等の弾性樹脂からなる、親水化処理が施された有孔フィルムなどを好適に用いることができる。
【００４３】
また、上述の伸長性を有する液透過性シート部材としては、特に制限されず、例えば、一方向（吸収性物品の長手方向Ｌに対応する方向）に伸長可能な凹凸構造を有する不織布などを好適に用いることができる。かかる凹凸構造としては、例えば、平面視にて、表面シートの幅方向に延び且つ長手方向に所定間隔で並ぶ複数本の直線状の凸条部と、隣り合う凸条部の間に位置し且つ表面シートの幅方向に延びる複数本の直線状の凹溝部とによって構成され、長手方向に沿った断面形状が略波形の形状となる凹凸構造などが挙げられる。ここで、前記凸条部は、表面シートの厚さ方向において、肌対向面側に向かって突出し、前記凹溝部は、表面シートの厚さ方向において、非肌対向面側に窪んだ構造を有する。
なお、本発明において、伸長可能な凹凸構造として採用し得る構造は、上述の態様に限定されず、例えば、特許第５８２９３４９号公報や特許第５８２９３２６号公報に開示されているような複数の凸部（畝部）と、複数の凹部を有する溝部とによって構成された態様などを採用することができる。
【００４４】
表面シートとなる液透過性シート部材に、上述のような伸長可能な凹凸構造を形成する方法は、特に制限されず、例えば、繊維ウェブに連続的に気体（例えば、エア等）を吹き付ける方法や、圧縮成形法、ギア延伸法などの任意の賦形方法を採用することができる。
【００４５】
また、本発明において、表面シートに用いられる伸縮性又は伸長性を有する液透過性シート部材は、その全領域（全面）において上述の伸縮性又は伸長性を有していてもよいが、吸収体の伸長領域（すなわち、スリット部存在領域）に対応する領域のみが上述の伸縮性又は伸長性を有していることが好ましい。このような部分的に伸縮性又は伸長性を有する液透過性シート部材を表面シートに用いることで、吸収体の伸長領域に対応する領域においては、着用者の動きに合わせてより一層変形し易くなるため、当該領域が着用者の肌面に密着した状態をより確実に実現することができる一方、吸収性物品の排泄口対応領域においては、吸収性物品の後方側領域に掛かる上述の捩じれる方向の力が前記排泄口対応領域に伝達され難く、当該排泄口対応領域における吸収本体部の形状が更に維持され易くなるため、着用者から排出された液状排泄物をより安定的に吸収することができる。
【００４６】
そして、本実施形態における表面シート２１は、４５％以上の光線透過率を有している。なお、本発明における表面シートは、その全領域（全面）において４５％以上の光線透過率を有している必要はなく、少なくとも上述の後方側領域において４５％以上の光線透過率を有していればよい。表面シートの光線透過率が４５％以上であると、表面シートの非肌対向面側に配置される吸収体等の部材が表面シートの肌対向面側から透けて見えるため、着用者が、吸収体に形成された上述の幅広スリット部を（より具体的には、幅広スリット部の開口部又は該開口部を通して吸収体の非肌対向面側に配置される伸縮性シートを）、表面シートを通して視認することができる。
【００４７】
なお、表面シートの光線透過率は、透視性の点から、５０％以上であることが好ましく、５５％以上であることが更に好ましい。
【００４８】
ここで、本発明における「光線透過率」は、ＪＩＳ  Ｋ７１０５−１９８１の５．５．２の「測定法Ａ」に従って測定される「全光線透過率」を意味する。かかる全光線透過率は、例えば、日本電色工業株式会社製の測色色差計（型式ＮＤＨ−３００Ａ）を用い、所定の条件下（受光素子：ＪＩＳ  Ｋ７１０５−１９８１に準拠するシリコンフォトセル、フィルター：色ガラスフィルタ  Ｙ、測定面積：φ１２ｍｍ）で測定することができる。
【００４９】
本発明において、表面シートの寸法形状は、吸収体の肌対向面側の表面を被覆することができるものであれば特に制限されず、吸収性物品の着用対象者の大きさや性別、用途などに応じて、任意の寸法形状を採用することができる。また、表面シートの坪量は、本発明の効果を阻害しない限り特に制限されず、例えば、５ｇ／ｍ2〜１００ｇ／ｍ2の範囲内の坪量を採用することができるが、光線透過率、液透過性、柔軟性などの点から、好ましくは２０ｇ／ｍ2〜５０ｇ／ｍ2の範囲内である。なお、坪量は、ＪＩＳ  Ｌ  １９０６の５．２に従って測定することができる。
【００５０】
さらに、表面シートの厚みについても、本発明の効果を阻害しない限り特に制限されず、例えば、０．００１ｍｍ〜５．０ｍｍの範囲内の厚みを採用することができるが、光線透過率、液透過性、柔軟性などの点から、好ましくは０．０１ｍｍ〜３．０ｍｍの範囲内であり、更に好ましくは０．１ｍｍ〜１．０ｍｍの範囲内である。
【００５１】
ここで、表面シート及び後述する裏面シートの厚みは、以下の＜シート部材の厚み測定方法＞に従って測定することができる。なお、吸収性物品が表面シート及び裏面シート以外のシート部材（例えば、液拡散性シート等）を含む場合、当該シート部材の厚みについても、同様に測定することができる。
【００５２】
＜シート部材の厚み測定方法＞
（１）測定対象のシート部材から、所定サイズ（例えば、１００ｍｍ×１００ｍｍ）のサンプルシートを切り出す。
（２）切り出したサンプルシートを、カトーテック（株）の自動化圧縮試験機「ＫＥＳ  ＦＢ−３Ａ」にセットして、当該試験機の測定端子によるサンプルシートへの圧力が４９Ｐａのときの厚み（ｍｍ）を測定し、この測定された厚み（ｍｍ）をサンプルシートの厚みとする。
【００５３】
［吸収体］
次に、本発明に用いられる吸収体について説明する。図５は、上述の実施形態に係る生理用ナプキン１に用いられる吸収体２２の伸長していない状態（自然状態）の平面図であり、図６は、生理用ナプキン１に用いられる吸収体２２の伸長状態の平面図である。
【００５４】
本実施形態に係る生理用ナプキン１において、吸収体２２は、図３に示すように、厚さ方向Ｔにおいて表面シート２１と裏面シート２３との間に配置され、前記表面シート２１を透過してきた着用者の液状排泄物を吸収及び保持する吸収性部材である。本実施形態において、吸収体２２は、図１に示すように、平面視にて、長手方向Ｌにおける前方側の端縁２２１及び後方側の端縁２２２がそれぞれ前方側及び後方側に円弧状に突出した縦長の外形形状を有しており、長手方向Ｌに延びる幅方向中央軸線ＣLを含む中央領域に配置されている。なお、本発明における吸収体は、このような態様のものに限定されず、例えば、長方形、長円形、砂時計形等の任意の外形形状を有していてもよい。また、吸収体が配置される位置についても、少なくとも排泄口対応領域の全域を含む限り特に制限されず、吸収体は、吸収性物品の長手方向において前方寄りに偏って配置されていてもよい。
【００５５】
また、本実施形態において、吸収体２２は、上述の複数のスリット部Ｓ及び幅広スリット部ＳＥが形成されていること以外は、特に制限されず、当分野において公知の任意の吸収体を用いることができる。そのような吸収体としては、例えば、パルプ等の吸水性繊維及び／又は高吸収性ポリマーを含む吸収性材料を、少なくとも１枚のティッシュ等の液透過性被覆シートによって覆ったものなどが挙げられる。
【００５６】
なお、本発明において、吸収体の厚みは、本発明の効果を阻害しない限り特に制限されず、例えば、０．１ｍｍ〜１０ｍｍの範囲内の厚みを採用することができるが、伸長性や吸収性、柔軟性などの点から、好ましくは０．３ｍｍ〜３ｍｍの範囲内である。
【００５７】
また、本実施形態において、吸収体２２に形成された複数のスリット部Ｓは、図５に示すように、平面視にて、長手方向Ｌに隣接するスリット部Ｓ同士が前記長手方向Ｌにおいて一部重複するように（換言すれば、長手方向Ｌに隣接するスリット部Ｓ同士が前記長手方向Ｌにおいて完全には重複しないように）配置されている。複数のスリット部がこのように配置されていると、当該複数のスリット部により形成される吸収体の伸長領域が着用者の動作等によって上述の捩じれる方向や長手方向に変形する際に、前記吸収体がスリット部において引き裂かれて、長手方向に千切れるというようなことが起こり難くなる。加えて、吸収体において、前記スリット部が存在しない部分は所定の吸収性能を発揮することができるため、そのような部分が吸収体の伸長領域において偏在せずに配置されていると、当該伸長領域においても良好な吸収性能を発揮することができる。
【００５８】
ここで、本実施形態における吸収体２２の伸長領域及び低伸長領域について説明する。吸収体２２は、図１に示すように、前記前方側領域Ａ１において、相対的に伸長率の低い又は非伸長性の低伸長領域として、スリット部が形成されていない前方側スリット部非存在領域Ｎ１を有し、さらに、前記排泄口対応領域Ａ２において、相対的に伸長率の低い又は非伸長性の低伸長領域として、スリット部が形成されていない排泄口対応領域内スリット部非存在領域Ｎ２を有しており、これらのスリット部非存在領域Ｎ１、Ｎ２は、吸収体２２の幅方向中央部（すなわち、長手方向Ｌに延びる幅方向中央軸線ＣＬを跨ぐ部分）において連続するように設けられている。このような構成は、本発明の吸収性物品においては必須の構成ではないものの、吸収体の低伸長領域が前方側領域Ａ１から排泄口対応領域Ａ２に跨って存在していると、吸収体の形状が維持され易い（すなわち、変形し難い）領域を広く確保することができるため、着用者の動作や下着の伸び等による影響が比較的少ない前記前方側領域Ａ１及び前記排泄口対応領域Ａ２において、着用者から排出された液状排泄物を長時間に亘ってより安定的に、より確実に吸収することができる。
【００５９】
また、本実施形態における吸収体２２は、図１に示すように、前記排泄口対応領域Ａ２において、上述の低伸長領域（すなわち、排泄口対応領域内スリット部非存在領域Ｎ２）に対して吸収体２２の幅方向Ｗの外方側に位置し、且つ、上述の後方側領域Ａ３における複数のスリット部Ｓと同様の複数のスリット部Ｓを備えた側部スリット部存在領域ＡＥＳを有しており、前記吸収体２２は、当該側部スリット部存在領域ＡＥＳにおいて、少なくとも長手方向Ｌに伸長可能に構成されている。かかる構成は、本発明の吸収性物品においては必須の構成ではないものの、吸収体が、このような側部スリット部存在領域ＡＥＳを伸長領域として有していると、着用者の歩行等の動作によって後方側領域Ａ３から上述の捩じれる方向の力が伝達してきたり、或いは、着用者の鼠蹊部によって吸収性物品の幅方向Ｗに力が加わったりするような場合でも、上述の側部スリット部存在領域ＡＥＳが伸長ないし変形することによってこれらの力を緩衝することができるため、吸収体の排泄口対応領域Ａ２における幅方向中央部の低伸長領域（すなわち、排泄口対応領域内スリット部非存在領域Ｎ２）の形状がより維持され易くなる。その結果、前記排泄口対応領域Ａ２において、着用者から排出された液状排泄物を更に安定的に吸収することができる。
なお、上述の側部スリット部存在領域ＡＥＳは、吸収性物品の排泄口対応領域Ａ２に存在する領域であるため、吸収性物品の後方側領域Ａ３に存在するスリット部存在領域ＡＥとは異なる領域である。
【００６０】
そして、本実施形態における吸収体２２は、平面視にて、前記伸縮性シート２４と厚さ方向Ｔに重なる前記後方側領域Ａ３内において、幅方向Ｗに延びる複数のスリット部Ｓが存在するスリット部存在領域ＡＥを伸長領域として有している。かかるスリット部存在領域ＡＥは、上述のとおり、該スリット部存在領域ＡＥを長手方向Ｌに３等分する３つの領域、すなわち、排泄口対応領域Ａ２に対して最も近位側に位置する第１存在領域ａ１と、排泄口対応領域Ａ２に対して最も遠位側に位置する第２存在領域ａ２と、これら両領域の間に位置する中央存在領域ａＣと、を有しており、前記第１存在領域ａ１は、前記中央存在領域ａＣ内のスリット部Ｓよりも前記長手方向Ｌに幅広である幅広スリット部ＳＥを含んでいる。さらに、本実施形態においては、前記第２存在領域ａ２も幅広スリット部ＳＥ（不図示）を含んでいる。
【００６１】
吸収体２２が、前記後方側領域Ａ３内にこのような伸長領域（すなわち、スリット部存在領域ＡＥ）を有していると、着用者が歩行等の動作を行った際に、前記後方側領域Ａ３における伸長領域が、着用者の動き（特に、臀部における左右交互の動き）や下着の伸び等に合わせて、上述の捩じれる方向の変形だけでなく、長手方向Ｌにも伸長変形することにより、吸収体２２、ひいては吸収本体部２の後方側領域Ａ３を、より精度よく着用者の肌面に密着させることができる。また、本実施形態における吸収体２２は、着用者が注目し易い排泄口対応領域Ａ２に近接する前記第１存在領域ａ１に、上述の幅広スリット部ＳＥを有しているため、着用者が、生理用ナプキン１の着用前に、上述の幅広スリット部ＳＥを（より具体的には、幅広スリット部ＳＥの開口部又は該開口部を通して吸収体２２の非肌対向面側に配置される伸縮性シート２４を）、その周辺部との色差（明度や色彩等の差異）により、表面シート２１を通して認識し易くなっている。
さらに、本実施形態においては、吸収体２２が前記スリット部存在領域ＡＥにおける第２存在領域ａ２内にも幅広スリット部ＳＥを含んでいる（すなわち、前記中央存在領域ａＣを挟むように幅広スリット部ＳＥを含んでいる）ため、着用者が、前記第１存在領域ａ１内の幅広スリット部ＳＥから前記第２存在領域ａ２内の幅広スリット部ＳＥにまで亘る領域を、複数のスリット部Ｓが存在する領域（すなわち、伸縮領域）として認識し易く、生理用ナプキン１の品質（特に、着用感）に対するより高い期待感を、着用者に醸成させることができる。
【００６２】
また、着用前の期待感だけでなく、本実施形態に係る生理用ナプキン１は、吸収体２２が前記後方側領域Ａ３において上述のスリット部存在領域ＡＥ（伸長領域）を有しているため、着用者が歩行等の動作を行った際に、前記伸長領域が、着用者の動き（特に、臀部における左右交互の動き）や下着の伸び等に合わせて、上述の捩じれる方向の変形だけでなく、長手方向Ｌにも伸長変形し、当該伸長領域を含む後方側領域Ａ３を、より精度よく且つより確実に着用者の肌面に密着させることができる。さらに、生理用ナプキン１の吸収本体部２の厚みの大部分を占める吸収体２２が上述の複数のスリット部Ｓを有していると、吸収体２２はもとより、吸収本体部２が柔軟性（特に、厚さ方向及び幅方向における柔軟性）に優れたものとなるため、生理用ナプキン（吸収性物品）として更に優れた身体適合性（すなわち、フィット性）を発揮することができる。
【００６３】
ここで、本明細書において、「伸長」とは、ＪＩＳ  Ｌ  １９１３：２０１０の「６．３引張強さ及び伸び率」に記載の方法に従って対象物を相反する所定の２方向に５．０Ｎの力で引っ張ったときに、破断することなく、自然状態（すなわち、伸びる前の状態）の長さ（１００％）に対して３％以上伸びること（すなわち、伸長後の長さが１０３％以上となるように伸びること）を意味する。また、本明細書において、「伸長率」とは、ＪＩＳ  Ｌ  １９１３：２０１０の「６．３引張強さ及び伸び率」に記載の方法に従って対象物を相反する所定の２方向に５．０Ｎの力で引っ張ったときに、伸びた対象物の長さ（すなわち、伸長後の長さ）の自然状態（すなわち、伸びる前の状態）の長さに対する増加率（％）を意味し、具体的には、次式によって求めることができる。
伸長率（％）＝［（対象物の伸長後の長さ（ｍｍ））−（対象物の自然状態の長さ（ｍｍ））］／（対象物の自然状態の長さ（ｍｍ））×１００
そして、本明細書において、「非伸長」とは、ＪＩＳ  Ｌ  １９１３：２０１０の「６．３引張強さ及び伸び率」に記載の方法に従って対象物を相反する所定の２方向に５．０Ｎの力で引っ張ったときに、破断することなく、自然状態の対象物の長さに対して３％以上伸びないことを意味する。したがって、「非伸長」は、自然状態の対象物の長さに対して３％以上伸びずに破断することのほかに、自然状態の対象物の長さ（１００％）に対して３％未満伸びること（すなわち、伸長後の長さが１０３％未満となる「極小伸長」）も含まれる。なお、本明細書において、「低伸長領域」は、「伸長領域」に対して相対的に伸長率の低い領域を指し、この低伸長領域には、相対的に伸長率の低い伸長領域のほか、非伸長領域も含まれる。
【００６４】
さらに、本明細書において、「伸縮」とは、対象物を相反する所定の２方向に所定の力で引っ張って伸長率１００％まで伸長させた後、前記力を解除したときに７０％以上収縮すること（すなわち、収縮後の長さが、自然状態（伸長させる前の状態）の対象物の長さ（１００％）に対して１３０％以下となること）を意味する。
【００６５】
また、本実施形態において、吸収体２２の前記スリット部存在領域ＡＥ内における複数のスリット部Ｓは、図５に示すように、前記スリット部存在領域ＡＥ内において、所定数のスリット部Ｓが存在するスリット部存在小領域ＡＳと、スリット部Ｓが存在しないスリット部非存在小領域ＡＮと、を有するように配置されている。さらに、前記スリット部非存在小領域ＡＮは、図５に示すように、平面視にて、吸収体２２の幅方向Ｗの一端（図５における左側の一端）から他端（図５における右側の一端）に向けて前方側（図５における上方側）に延びる第１非存在小領域ＡＮ１と、前記第１非存在小領域ＡＮ１と交差し且つ前記吸収体２２の幅方向Ｗの一端（図５における左側の一端）から他端（図５における右側の一端）に向けて後方側（図５における下方側）に延びる第２非存在小領域ＡＮ２とによって構成され、前記スリット部存在小領域ＡＳは、前記第１非存在小領域ＡＮ１と前記第２非存在小領域ＡＮ２とによって囲まれた領域、或いは、前記第１非存在小領域ＡＮ１と前記第２非存在小領域ＡＮ２と前記吸収体２２の長手方向Ｌに延びる幅方向端縁ｅ１、ｅ２とによって囲まれた領域に配置されている。
【００６６】
複数のスリット部Ｓがこのように配置されていると、吸収体が、上記特定の２方向に延びるスリット部非存在小領域ＡＮ（すなわち、第１非存在小領域ＡＮ１と第２非存在小領域ＡＮ２）を有することによって、吸収体としての強度及び吸収性能を十分に確保することができ、また、前記スリット部非存在小領域ＡＮによって囲まれたスリット部存在小領域ＡＳを有することによって、図６に示すように吸収体全体を均等に伸長させることができるとともに、伸長範囲をより長くすることができる。その結果、着用者の動作等が大きいような場合でも、吸収体に掛かる力を十分に緩衝することができるため、良好な吸収性能を維持しつつ、前記後方側領域をより確実に着用者の肌面に密着させることができる。
【００６７】
なお、本発明の吸収性物品において、吸収体における複数のスリット部の配置形態は、上述の実施形態の配置形態に限定されず、上述の複数のスリット部は、例えば、所定数のスリット部が存在するスリット部存在小領域が、碁盤の目状に設けられたスリット部非存在小領域に囲まれた領域に配置されていてもよい。さらに、上述の複数のスリット部は、任意のパターンで配置することができるが、吸収体の幅方向Ｗの全長に亘って一直線上に並ばないように配置することが好ましい。複数のスリット部がこのように配置されていると、一直線上に並ぶ複数のスリット部がミシン目の切り取り線のように作用して、吸収体が裂けるというようなことを防ぐことができる。
【００６８】
また、本実施形態においては、スリット部Ｓは、図５等に示すように、幅方向Ｗに延びる略直線状の平面視形状で形成されているが、本発明の吸収性物品においてはこのような態様に限定されず、スリット部は、本発明の効果を損なわない限り任意の平面視形状を有することができる。そのような平面視形状としては、例えば、円弧状、Ｖ字形、波形、ジグザグ形などの形状が挙げられる。
【００６９】
本発明において、吸収体に形成されるスリット部及び幅広スリット部の長手方向長さは、特に制限されないが、好ましくは３ｍｍ〜５０ｍｍの範囲内であり、更に好ましくは５ｍｍ〜１５ｍｍの範囲内である。かかる長さが３ｍｍ以上であると、吸収体の伸長領域（スリット部存在領域）が上述の捩じれる方向に更に変形し易くなるとともに、前記伸長領域を十分に長手方向Ｌに伸長させることができ、更には、吸収体に適度な柔軟性を付与することができる。かかる長さが５０ｍｍ以下であると、吸収体が幅方向Ｗの外方側から力を受けた際などに、スリット部や幅広スリット部が開口して裂けてしまうというようなことが起こり難く、吸収体として良好な耐久性を確保することができる。
【００７０】
本発明において、吸収体に複数のスリット部を形成する手段は、特に制限されず、任意の切断手段を採用することができる。例えば、任意の製造方法によって製造された吸収体をベルトコンベア等の搬送手段によって搬送しながら、前記吸収体の上面に、回転する切断ロールの周面上に所定の配置パターンで設けられた複数の切断刃を押し当てて貫通させることにより、吸収体に上述のような複数のスリット部を形成することができる。
【００７１】
また、吸収体に幅広スリット部を形成する手段も、特に制限されず、例えば、上述の複数のスリット部の形成手段と同様に、上述のスリット部よりも幅広のスリット部を形成し得る任意の切断手段を用いる方法や、吸収体に複数のスリット部を形成した後に、吸収体の長手方向に所定の張力を付与し、所定のスリット部を長手方向に開口させて拡幅する方法などを採用することができる。なお、複数のスリット部と幅広スリット部は、前者の方法により同時に形成してもよいし、前者又は後者の方法により、複数のスリット部を形成した後に幅広スリット部を形成してもよい。
【００７２】
さらに、本実施形態においては、吸収体２２は、図１に示すように、前記後方側領域Ａ３において、該後方側領域Ａ３のスリット部存在領域ＡＥと吸収体２２の後方側の端縁２２２との間に位置する、低伸長領域としての後方側スリット部非存在領域Ｎ３を有している。かかる後方側スリット部非存在領域Ｎ３を有する構成は、本発明においては必須の構成ではないものの、前記後方側領域Ａ３内の、前記スリット部存在領域ＡＥ（伸長領域）と後方側の端縁２２２との間の領域は、着用者の動作や下着の伸び等による影響が比較的少ない領域であり、このような領域に、相対的に強度の高い後方側スリット部非存在領域Ｎ３が配置されていると、生理用ナプキン１（吸収性物品）の後方側領域Ａ３において吸収体２２の強度を一定程度確保することができるため、吸収体２２に型崩れや破断等が生じ難く、吸収体における吸収性能をより安定的に発揮することができる。
【００７３】
また、本発明においては、上述の後方側スリット部非存在領域は、吸収体の後方側の端縁を含む領域であることが好ましい。相対的に強度の高い後方側スリット部非存在領域が吸収体の後方側の端縁を含む領域であると、着用者が、吸収性物品の着用中に、当該後方側スリット部非存在領域を把持して、下着等の着衣に固定された状態の吸収性物品の位置を調整し易いため、着用者が、吸収性物品の着用中に、吸収性物品の位置をより適切な位置に調整することができ、結果的により一層優れた着用感や安心感を得ることができる。
【００７４】
さらに、本発明においては、上述の後方側スリット部非存在領域は、エンボス部を含んでいることが好ましい。エンボス部によって後方側スリット部非存在領域の剛性が高くなっていると、着用者が後方側スリット部非存在領域を把持して、下着等の着衣に固定された状態の吸収性物品の位置を更に調整し易くなるため、更に優れた着用感や安心感を得ることができる。また、吸収体が上述のスリット部存在領域における第２存在領域内に幅広スリット部を含んでいる場合、当該第２存在領域に近接する後方側スリット部非存在領域に、着用者が注目し易いエンボス部が存在すると、着用者が、吸収性物品の着用前に、前記エンボス部と共に前記第２存在領域内の幅広スリット部をより認識し易くなる。その結果、着用者が、前記第１存在領域内の幅広スリット部から前記第２存在領域内の幅広スリット部にまで亘る領域を、複数のスリット部が存在する領域（すなわち、伸縮領域）としてより認識し易くなり、吸収性物品の品質（特に、着用感）に対する高い期待感を、より確実に且つより効果的に、着用者に醸成させることができる。
【００７５】
＜伸縮性シート＞
本実施形態に係る生理用ナプキン１において、少なくとも長手方向Ｌに伸縮可能な伸縮性シート２４は、図１及び図３に示すように、着用時に着用者の臀部に対応する領域となる後方側領域Ａ３において、吸収体２２と裏面シート２３との間（すなわち、吸収体２２の非肌対向面側）に配置されて、生理用ナプキン１の後方側領域Ａ３に伸縮性を付与する伸縮性シート部材である。なお、伸縮性シート２４は、上述のとおり、吸収体２２の後方側領域Ａ３におけるスリット部存在領域ＡＥと厚さ方向Ｔに重なる位置に配置され、当該スリット部存在領域ＡＥと厚さ方向Ｔに重ならない部分には配置されていない。
本実施形態に係る生理用ナプキン１は、このような伸縮性シート２４を備えているため、後方側領域Ａ３における伸縮性を確保しつつ、上述のスリット部存在領域ＡＥによって奏される作用効果をより確実に発揮させることができる。加えて、着用者が、着用前に生理用ナプキン１を長手方向Ｌに伸長させて、その伸縮性を確認したとしても、伸縮性シート２４によって、生理用ナプキン１が長手方向Ｌに収縮し、上述のスリット部Ｓが伸長時の開いた状態から元の閉じた状態へと戻り易くなっているため、生理用ナプキン１における優れた着用感及び吸収性能をより確実に得ることができる。
【００７６】
本発明において、伸縮性シートは、少なくとも一方向（吸収性物品の長手方向Ｌに対応する方向）に伸縮可能な伸縮性シート部材であれば特に制限されず、例えば、ウレタン樹脂やポリオレフィン樹脂等の熱可塑性樹脂から形成された伸縮性フィルム；ポリエステル系樹脂から形成された弾性フィルムなどを用いることができる。
【００７７】
また、本発明において、伸縮性シートは、吸収体とは異なる色に着色された着色シートによって構成されていることが好ましい。伸縮性シートにこのような着色シートを用いると、吸収体に形成された上述の幅広スリット部が、当該幅広スリット部の開口部を通して視認される着色シート（伸縮性シート）と吸収体との色の違い（明度や色彩等の色差）によって、着用者に更に認識され易くなるため、上述の幅広スリット部によって奏される効果をより確実に得ることができる。なお、着色シートは、肌対向面側の表面（すなわち、吸収体側の表面）の色が吸収体とは異なる色として認識され得るものであれば、シート内部を含むシート全体が着色されていても、肌対向面側及び非肌対向面側の両面が着色されていても、或いは、肌対向面側又は非肌対向面側のいずれか一方の表面のみが着色されていてもよい。非肌対向面側の表面のみが着色されていても、当該着色が肌対向面側の表面から透けて見えれば、着色シートは、肌対向面側の表面の色が吸収体とは異なる色として認識されることとなる。
また、伸縮性シートとなる伸縮性シート部材を着色する手段は、特に制限されず、顔料や染料を用いた手段や印刷を用いた手段などを採用することができる。
【００７８】
さらに、本発明において上述の伸縮性シートは、吸収性物品の裏面シートであってもよい。上述の伸縮性シートが着用者に視認され易い裏面シートであると、吸収性物品の伸縮性が当該裏面シートからも認識され易くなるため、かかる吸収性物品が伸縮性に特に優れた高品質の吸収性物品であるとの期待感を、より確実に且つより効果的に着用者に醸成させることができる。さらに、上述の伸縮性シートが裏面シートであると、吸収体と裏面シートとの間に、別途伸縮性シートを配置する必要がないため、製品設計の自由度が向上する。これにより、吸収性物品を薄型化することができるので、着用感を更に向上させることができる。
【００７９】
＜裏面シート＞
本実施形態に係る生理用ナプキン１において、裏面シート２３は、図１〜図３に示すように、生理用ナプキン１の前方側領域Ａ１から後方側領域Ａ３に亘る領域において、厚さ方向Ｔの非肌対向面側に配置されており、着用者から排出された経血等の液状排泄物の漏洩を防ぐ液不透過性シート部材によって構成されている。かかる液不透過性シート部材は、特に制限されず、例えば、通気性を有するポリエチレンやポリプロピレン等の樹脂フィルム、該樹脂フィルムに不織布を貼り合わせた積層体などの従来より公知の液不透過性シート部材を用いることができるが、本発明における裏面シートは、少なくとも一方向（吸収性物品の長手方向Ｌに対応する方向）に伸縮性又は伸長性を有する液不透過性シート部材を用いることが好ましい。裏面シートにこのような伸縮性又は伸長性を有する液不透過性シート部材を用いると、吸収性物品が着用者の動きに合わせてより一層変形し易くなる（すなわち、動的フィット性に優れる）ため、着用感を更に向上させることができる。
【００８０】
上述の伸縮性を有する液不透過性シート部材としては、特に制限されず、例えば、上述の伸縮性シートと同様の伸縮性シート部材などを好適に用いることができる。また、上述の伸長性を有する液不透過性シート部材も特に制限されず、例えば、一方向（吸収性物品の長手方向Ｌに対応する方向）に伸長可能な蛇腹構造を有する熱可塑性樹脂製シート部材などを好適に用いることができる。
【００８１】
本実施形態に係る生理用ナプキン１おいては、裏面シート２３は、図２及び図３に示すように、前記後方側領域Ａ３において長手方向Ｌに伸長可能な蛇腹構造Ｂを有している。かかる蛇腹構造Ｂは、図２及び図３に示すように、平面視にて、裏面シート２３の幅方向Ｗに延び且つ長手方向Ｌに所定間隔で並ぶ複数本の直線状の凸部Ｂ１と、隣り合う凸部Ｂ１の間に位置し且つ裏面シート２３の幅方向Ｗに延びる複数本の直線状の溝部Ｂ２とによって構成されていて、長手方向Ｌに沿った断面形状が略ジグザグ状の形状となっている。ここで、前記凸部Ｂ１は、裏面シート２３の厚さ方向Ｔにおいて、前記裏面シート２３の肌対向面側に突出した構造を有し、前記溝部Ｂ２は、裏面シート２３の厚さ方向Ｔにおいて、前記裏面シート２３の非肌対向面側に窪んだ構造を有している。
【００８２】
このように裏面シート２３が前記後方側領域Ａ３において長手方向Ｌに伸長可能な蛇腹構造Ｂを有していると、当該蛇腹構造Ｂによって前記後方側領域Ａ３の長手方向Ｌにおける伸長性をより確実に得ることができるため、上記後方側領域Ａ３が着用者の肌面に密着した状態をより確実に実現することができるとともに、前記後方側領域Ａ３に掛かる上述の捩じれる方向の力が、前記排泄口対応領域Ａ２に伝達し難くなる。
【００８３】
加えて、吸収体２２に上述の複数のスリット部Ｓや幅広スリット部ＳＥが形成されている本実施形態のような場合は、通常、着用者から排出された経血等の液状排泄物がスリット部Ｓや幅広スリット部ＳＥを介して裏面シート２３に到達し易くなるが、裏面シート２３が上述のような蛇腹構造Ｂを有していると、裏面シート２３に到達した液状排泄物を、前記蛇腹構造Ｂの幅方向Ｗに延びる溝部Ｂ２に沿って前記幅方向Ｗに拡散させて、吸収体２２の非肌対向面側表面における広範囲の箇所から吸収させることができる。
【００８４】
さらに、裏面シートが上述のような蛇腹構造を有していると、吸収性物品の厚さ方向において柔軟性やクッション性等を付与することができるため、当該吸収性物品の着用感を更に向上させることができる。また、着用者に視認され易い裏面シートが上述のような蛇腹構造を有していると、着用者に対して、本発明の吸収性物品が伸長性や伸縮性、フィット性、柔軟性等に特に優れた製品であることを認識させ易いという利点もある。
【００８５】
なお、上述の蛇腹構造において、凸部の高さ（すなわち、凸部の頂部を含む水平面と溝部の底部（最深部）を含む水平面との間の距離）は、本発明の効果を阻害しない限り特に制限されず、例えば、０．１ｍｍ〜１．２ｍｍの範囲内の高さを採用することができるが、伸長性やクッション性、液の拡散性等の点から、好ましくは０．２ｍｍ〜１．０ｍｍの範囲内であり、更に好ましくは０．４ｍｍ〜０．８ｍｍの範囲内である。
【００８６】
さらに、上述の蛇腹構造のピッチ（すなわち、隣り合う２本の凸部の頂部中心（稜線）同士の間隔（ｍｍ））についても、特に制限されず、例えば、０．５ｍｍ〜５．０ｍｍの範囲内のピッチを採用することができるが、伸長性やクッション性、液の拡散性等の点から、好ましくは１．０ｍｍ〜４．０ｍｍの範囲内である。なお、この蛇腹構造のピッチは、無加圧状態における裏面シートの平面写真又は平面画像に基づいて、隣り合う２本の凸部の頂部中心（稜線）同士の間隔（ｍｍ）として測定することができる。
【００８７】
なお、本発明において、伸長可能な蛇腹構造として採用し得る構造は、上述の態様に限定されず、例えば、上述の蛇腹構造における凸部及び溝部が、平面視にて、少なくとも部分的に方向を変化させながら（例えば、波状やジグザグ状に）延在する態様、少なくとも部分的に隣り合う２本の凸部の間隔が一定でない態様などを採用することができる。
【００８８】
裏面シートとなる液不透過性シート部材に、上述のような伸長可能な蛇腹構造を形成する方法は、特に制限されず、例えば、圧縮成形法や真空成形法、ギア延伸法などの任意の賦形方法を採用することができる。
【００８９】
また、本発明において、裏面シートに用いられる伸縮性又は伸長性を有する液不透過性シート部材は、その全領域（全面）において上述の伸縮性又は伸長性を有していてもよいが、上述の実施形態のように、吸収体の伸長領域（すなわち、スリット部存在領域）に対応する領域のみが上述の伸縮性又は伸長性を有していることが好ましい。このような部分的に伸縮性又は伸長性を有する液不透過性シート部材を裏面シートに用いることで、吸収体の伸長領域に対応する領域においては、着用者の動きに合わせてより一層変形し易くなるため、当該領域が着用者の肌面に密着した状態をより確実に実現することができる一方、吸収性物品の排泄口対応領域においては、吸収性物品の後方側領域に掛かる上述の捩じれる方向の力が前記排泄口対応領域に伝達され難く、当該排泄口対応領域における吸収本体部の形状が更に維持され易くなるため、着用者から排出された液状排泄物をより安定的に吸収することができる。
【００９０】
本発明において、裏面シートの寸法形状は、着用者から排出された液状排泄物の漏洩を防ぐことができるものであれば、特に制限されず、吸収性物品の着用対象者の大きさや性別、用途などに応じて、任意の寸法形状を採用することができる。また、裏面シートの厚みについても、本発明の効果を阻害しない限り特に制限されず、例えば、０．００１ｍｍ〜５．０ｍｍの範囲内の厚みを採用することができるが、液不透過性や柔軟性、通気性などの点から、好ましくは０．００３ｍｍ〜３．０ｍｍの範囲内であり、更に好ましくは０．０１ｍｍ〜１．０ｍｍの範囲内である。
【００９１】
なお、本実施形態に係る生理用ナプキン１においては、表面シート２１と裏面シート２３は、吸収体２２及び伸縮性シート２４を間に挟んだ状態で、各シートの外周端縁部がホットメルト型の接着剤によって互いに接合されている。表面シートと裏面シートの接合手段は特に制限されず、上述の接着剤のほかに、例えば、ヒートシール法、超音波接合法等の任意の接合手段を採用することができるが、表面シートと裏面シートは、上述の伸縮性や伸長性を阻害し難いという点から、スチレン−イソプレン−スチレンブロック共重合体（ＳＩＳ）、スチレン−ブタジエン−スチレンブロック共重合体（ＳＢＳ）、スチレン−エチレン−ブチレン−エチレン共重合体（ＳＥＢＳ）等のホットメルト型接着剤を用いて接合されていることが好ましい。
【００９２】
＜線状凹部＞
本実施形態に係る生理用ナプキン１は、図１に示すように、少なくとも前記排泄口対応領域Ａ２の低伸長領域Ｎ２において、平面視にて、前記幅方向中央軸線ＣＬに対して幅方向の両側に、吸収本体部２の長手方向Ｌに延在し且つ他の部分よりも高密度の底部を有する２本の線状凹部Ｐ、Ｐ’を備えている。本実施形態において線状凹部Ｐ、Ｐ’は、吸収本体部２を構成する、表面シート２１、吸収体２２、伸縮性シート２４及び裏面シート２３をこの順に重ねてなる積層体を、加熱又は非加熱のエンボス加工手段を用いて、前記表面シート２１の肌対向面側の表面から厚さ方向Ｔに（非肌対向面側へ向かって）圧搾することにより形成され、当該線状凹部Ｐ、Ｐ’の底部において前記表面シート２１、吸収体２２及び裏面シート２３は一体化されている。なお、本実施形態においては、前記２本の線状凹部Ｐ、Ｐ’は、図１に示すように、前記前方側領域Ａ１から前記後方側領域Ａ３に亘って延在し、前記伸縮性シート２４とは、厚さ方向Ｔおいて重なっていない。
【００９３】
このような線状凹部を備えることは、本発明の吸収性物品においては必須の構成要件ではないものの、吸収性物品がこのような２本の線状凹部を備えていると、着用者の動作等によって吸収性物品の後方側領域に上述の捩じれる方向の力が加わったり、或いは、着用者の鼠蹊部によって吸収本体部の幅方向Ｗに力が加わったりするような場合でも、前記排泄口対応領域の特に中心部分となる領域（すなわち、前記２本の線状凹部によって挟まれた領域）においては、硬さの硬い線状凹部の剛性によって吸収本体部の形状がより維持され易くなるため、着用者から排出された経血等の液状排泄物をより安定的に、より着実に吸収することができる。
【００９４】
本発明において、前記線状凹部の平面視形状は、特に制限されず、上述の実施形態のような曲線を組み合わせた形状（図１参照）のほか、直線状、破線状、ジグザグ状、幾何学形状、所定のデザイン形状（花柄等）などの任意の形状を採用することができる。また、上述の実施形態においては、前記２本の線状凹部Ｐ、Ｐ’は、平面視にて、前記幅方向中央軸線ＣＬに対して幅方向の両側に、吸収本体部２の長手方向Ｌに沿って前記前方側領域Ａ１から前記後方側領域Ａ３に亘って左右対称に配置されているが、本発明においてはこのような態様に限定されず、前記線状凹部は、例えば、前記幅方向中央軸線ＣＬに対して幅方向の両側において、前記排泄口対応領域のみに延在していても、或いは、前記排泄口対応領域から前記前方側領域又は前記後方側領域の一方の領域のみに亘って延在していてもよく、さらには、前記長手方向Ｌに沿って計４本以上配置されていてもよい。線状凹部が複数本配置されていると、吸収本体部の剛性が高まり、当該吸収本体部の形状がより一層維持され易くなる。
【００９５】
＜個包装＞
また、本発明の吸収性物品は、平面視にて、前記幅方向に延びる少なくとも１本の折線を有し、当該折線が、前記第１存在領域における前記幅広スリット部と厚さ方向に重なっていることが好ましい。かかる折線が、前記第１存在領域における幅広スリット部と厚さ方向において重なっていると、吸収性物品を上記折線で長手方向に折り畳んで個包装したときに、上述の幅広スリット部が、折畳みによって長手方向に張力が掛かった状態となるため、当該幅広スリット部の幅広状態（拡幅した状態）をより確実に保持することができる。その結果、吸収性物品を個包装体（個包装された状態）から取り出して展開したとしても、上述の幅広スリット部の幅広状態が維持されているため、上述の幅広スリット部によって奏される作用効果をより確実に発揮することができる。
【００９６】
また、本発明の吸収性物品においては、上述の折線は、吸収性物品の肌対向面側が凸となる山折りの折線であることが好ましい。かかる折線が、このような山折りの折線であると、当該折線で吸収性物品を山折りしたときに、上記幅広スリット部の肌対向面側における開口部が、上述の山折りによって長手方向に張力が掛かった状態となり、上記幅広スリット部において着用者に視認され易い肌対向面側の開口部の状態（幅広状態）をより確実に保持することができる。これにより、上述の幅広スリット部によって奏される作用効果を、より確実に且つより効果的に発揮することができる。
【００９７】
なお、本発明の吸収性物品は、上述の実施形態に制限されることなく、本発明の目的、趣旨を逸脱しない範囲内において、適宜組み合わせや変更等が可能である。
また、本発明は、上述の実施形態の生理用ナプキンのほかに、例えば、パンティライナー、（軽）失禁パッド等の様々な吸収性物品に適用することができる。なお、本明細書において、「第１」、「第２」等の序数は、当該序数が付された事項を区別するためのものであり、各事項の順序や優先度、重要度等を意味するものではない。
【符号の説明】
【００９８】
１      生理用ナプキン（吸収性物品）
２      吸収本体部
２１    表面シート
２２    吸収体
２２１    吸収体の前方側の端縁
２２２    吸収体の後方側の端縁
２３    裏面シート
２４    伸縮性シート
３、３’フラップ部
４、４’粘着部
５      前方側端縁部
６      後方側端縁部
Ａ１    前方側領域
Ａ２    排泄口対応領域
Ａ３    後方側領域
ＡＥ    スリット部存在領域
ａ１    第１存在領域
ａ２    第２存在領域
ａＣ    中央存在領域
Ｓ      スリット部
ＳＥ    幅広スリット部
【図１】
0006279009.tif 000002
【図２】
0006279009.tif 000003
【図３】
0006279009.tif 000004
【図４】
0006279009.tif 000005
【図５】
0006279009.tif 000006
【図６】
0006279009.tif 000007